(57)【特許請求の範囲】
【請求項１】
帯電した粉末状の現像剤を供給対象に対して供給するように構成された、現像剤供給装置において、
主走査方向と平行な円柱面状の周面である現像剤担持面を有し、当該現像剤担持面が現像剤供給位置にて前記供給対象と対向するように設けられ、前記主走査方向と平行な軸を中心として回転することで前記現像剤担持面が前記主走査方向と直交する方向に移動するように構成された、現像剤担持部材と、
前記主走査方向と交差する現像剤搬送経路に沿って配列された複数の搬送電極を備え、前記現像剤を、前記現像剤担持面と最近接しつつ対向する担持位置にて前記現像剤担持面上に担持させるように、複数の前記搬送電極への多相交流電圧成分を含むバイアス電圧の印加により前記現像剤搬送経路にて帯電させるとともに前記現像剤搬送経路に沿って前記担持位置まで搬送するように構成された、搬送基板と、
前記現像剤担持面の移動方向における前記担持位置と前記現像剤供給位置との間の位置にて、当該現像剤担持面と対向するように配置されていて、当該現像剤担持面上に担持された前記現像剤を前記現像剤担持部材との間の交番電界の作用により帯電させるように構成された、対向部材と、
前記対向部材に付着した前記現像剤を当該対向部材から除去するように構成されたクリーニング部と、
を備え、
前記クリーニング部は、前記対向部材と対向するように配置されたクリーニング用基板を備え、
前記クリーニング用基板は、前記主走査方向と交差するクリーニング経路に沿って配列された複数のクリーニング電極を備えていて、これらのクリーニング電極への多相交流電圧成分を含むクリーニング用バイアス電圧の印加により、前記現像剤を、前記対向部材と対向するクリーニング位置の近傍にて前記対向部材から剥離しつつ前記クリーニング経路に沿って搬送するように構成されたことを特徴とする、現像剤供給装置。
【請求項２】
請求項１に記載の、現像剤供給装置であって、
前記対向部材は、前記主走査方向と平行な軸を中心として回転可能に構成されたことを特徴とする、現像剤供給装置。
【請求項３】
請求項１または請求項２に記載の、現像剤供給装置であって、
前記クリーニング部は、
前記対向部材と当接することで、当該対向部材から前記現像剤を除去するように配置された、剥離部材
を備えたことを特徴とする、現像剤供給装置。
【発明の詳細な説明】
【技術分野】
【０００１】
本発明は、帯電した粉末状の現像剤を供給対象に対して供給するように構成された、現像剤供給装置に関する。
【背景技術】
【０００２】
従来のこの種の装置として、例えば、特開平３−１２６７８号公報、特開２００８−７０８０３号公報、等に開示されているものが知られている。かかる装置は、現像剤担持部材（現像ローラ）と、上流側現像剤搬送手段と、下流側現像剤搬送手段と、を備えている。
【０００３】
前記現像剤担持部材は、所定の現像領域にて静電潜像担持体（感光体ドラム）と対向するように設けられている。この現像剤担持部材は、帯電した現像剤を担持するための現像剤担持面を有している。
【０００４】
前記上流側現像剤搬送手段は、上流側搬送面を有している。この上流側搬送面は、前記現像領域よりも前記現像剤担持面の移動方向における上流側にて、当該現像剤担持面と所定の距離を隔てて対向するように配置されている。この上流側現像剤搬送手段は、上流側搬送電界（前記上流側搬送面上の前記現像剤を前記現像剤担持部材の移動方向における上流側から下流側に向けて移動させるための電界）を形成するように構成されている。
【０００５】
前記下流側現像剤搬送手段は、下流側搬送面を有している。この下流側搬送面は、前記現像領域よりも前記現像剤担持面の移動方向における下流側にて、当該現像剤担持面と所定の距離を隔てて対向するように配置されている。この下流側現像剤搬送手段は、下流側搬送電界（前記下流側搬送面上の前記現像剤を前記現像剤担持部材の移動方向における上流側から下流側に向けて移動させるための電界）を形成するように構成されている。
【０００６】
かかる構成においては、帯電した前記現像剤を前記現像剤担持面の移動方向（前記現像ローラの回転方向）における上流側から下流側へ向けて移動させる電界が、前記上流側搬送面上及び前記下流側搬送面上の空間に形成する。これにより、前記現像剤は、前記上流側搬送面及び前記下流側搬送面のそれぞれにて、前記現像剤担持部材の移動方向における上流側から下流側へ向けて移動する。
【０００７】
前記上流側現像剤搬送手段によって搬送された前記現像剤は、前記上流側搬送面と前記現像剤担持面（前記現像ローラの周面）とが対向する位置にて、当該現像剤担持面に向かう。これにより、前記現像剤は、前記現像剤担持面に付着する。すなわち、前記現像剤担持面上に、前記現像剤が担持される。
【０００８】
前記現像剤担持面上に担持された前記現像剤の一部は、静電潜像の現像に供されることで、前記現像領域にて消費される。すなわち、前記現像剤担持面上に担持された前記現像剤の一部は、前記現像領域に到達すると、前記静電潜像担持体の周面である静電潜像担持面上の、静電潜像に応じた位置に移行して付着する。
【０００９】
前記現像剤担持面上に担持された前記現像剤のうちの、前記静電潜像担持面に付着しなかった（前記現像領域にて消費されなかった）残部は、前記下流側現像剤搬送手段によって回収され、前記下流側搬送面上を、前記現像剤担持面の移動方向（前記現像ローラの回転方向）における上流側から下流側へ搬送される。
【発明の概要】
【発明が解決しようとする課題】
【００１０】
本発明の発明者は、この種の装置において、前記現像剤担持面から前記静電潜像担持面への前記現像剤の移行効率（すなわち前記現像剤の供給効率）が、あまり良好でないことを見出した。本発明は、かかる課題に対処するためになされたものである。すなわち、本発明の目的は、前記現像剤の供給効率を向上させることにある。
【課題を解決するための手段】
【００１１】
本発明の現像剤供給装置は、帯電した粉末状の現像剤を供給対象に対して供給するように構成されている。この現像剤供給装置は、現像剤担持部材と、搬送基板と、対向部材と、を備えている。
【００１２】
前記現像剤担持部材は、主走査方向と平行な円柱面状の周面である現像剤担持面を有していて、当該現像剤担持面が現像剤供給位置にて前記供給対象と対向するように設けられている。この現像剤担持部材は、前記主走査方向と平行な軸を中心として回転することで、前記現像剤担持面を前記主走査方向と直交する方向に移動させつつ、当該現像剤担持面上に担持された前記現像剤を前記現像剤供給位置に供給するように構成されている。
【００１３】
前記搬送基板は、前記主走査方向と交差する現像剤搬送経路に沿って配列された複数の搬送電極を備えている。この搬送基板は、前記現像剤担持面と最近接しつつ対向する担持位置にて前記現像剤を前記現像剤担持面上に担持させるために、複数の前記搬送電極への多相交流電圧成分を含むバイアス電圧の印加により前記現像剤搬送経路にて前記現像剤を帯電させるとともに、前記現像剤搬送経路に沿って前記担持位置まで前記現像剤を搬送するように構成されている。
【００１４】
前記対向部材は、前記現像剤担持面の移動方向における前記担持位置と前記現像剤供給位置との間の位置にて、当該現像剤担持面と対向するように配置されている。この対向部材は、前記現像剤担持面上に担持された前記現像剤を前記現像剤担持部材との間の交番電界の作用により帯電させるように構成されている。
【００１５】
前記対向部材は、前記主走査方向と平行な軸を中心として回転可能に構成され得る。
【００１６】
本発明の現像剤供給装置は、また、クリーニング部をさらに備えていてもよい。このクリーニング部は、前記対向部材に付着した前記現像剤を当該対向部材から除去するように構成されている。
【００１７】
具体的には、例えば、前記クリーニング部は、剥離部材を備えている。この剥離部材は、前記対向部材と当接することで、当該対向部材から前記現像剤を除去するように配置されている。
【００１８】
あるいは、例えば、前記クリーニング部は、前記対向部材と対向するように配置されたクリーニング用基板を備えている。このクリーニング用基板は、前記主走査方向と交差するクリーニング経路に沿って配列された複数のクリーニング電極を備えている。そして、これらのクリーニング電極への多相交流電圧成分を含むクリーニング用バイアス電圧の印加により、前記現像剤を、前記対向部材と対向するクリーニング位置の近傍にて前記対向部材から剥離しつつ前記クリーニング経路に沿って搬送するように、当該クリーニング用基板が構成されている。
【００１９】
かかる構成においては、複数の前記搬送電極への前記バイアス電圧の印加により、前記現像剤が、前記現像剤搬送経路にて帯電するとともに、当該現像剤搬送経路に沿って前記担持位置まで搬送される。具体的には、例えば、前記現像剤搬送経路における上流側の端部にて、前記現像剤が帯電した状態となる（帯電する）。前記現像剤搬送経路における上流側の端部にて帯電した状態となった（帯電した）前記現像剤は、当該端部から、前記現像剤搬送経路に沿って前記担持位置まで搬送される。
【００２０】
前記担持位置まで搬送された前記現像剤は、当該担持位置にて、前記現像剤担持面上に担持される。この現像剤担持面は、前記現像剤担持部材の回転により、前記主走査方向と直交する方向に、前記現像剤供給位置に向かって移動する。その途中、すなわち、前記現像剤担持面の移動方向における前記担持位置と前記現像剤供給位置との間の位置にて、前記対向部材と前記現像剤担持部材との間の交番電界（典型的には両者の間の交流電圧の印加による電界）の作用により、前記現像剤が帯電させられる。この帯電作用を受けた前記現像剤は、前記現像剤担持部材の回転に伴う前記現像剤担持面の移動により、前記現像剤供給位置に到達することで、前記供給対象に供給される。
【００２１】
なお、前記対向部材による上述の帯電作用の際に前記対向部材に付着した前記現像剤は、前記クリーニング部によって、当該対向部材から除去され得る。
【発明の効果】
【００２２】
上述のように、本発明の構成においては、前記現像剤搬送経路、及び、前記対向部材と前記現像剤担持部材との間にて、前記現像剤が帯電させられる。これにより、前記現像剤の帯電状態が最適な状態に設定され得る。したがって、本発明によれば、より良好な現像剤の供給効率が得られる。
【図面の簡単な説明】
【００２３】
【図１】本発明の一実施形態が適用された画像形成装置としてのレーザープリンタの概略構成を示す側面図である。
【図２】図１に示されているトナー供給装置を拡大した側断面図である。
【図３】図２に示されているクリーニング部の概略構成の一具体例を示す拡大断面図である。
【図４】図２に示されている搬送基板を拡大した側断面図である。
【図５】図４に示されている各電源回路の出力波形の一例を示すグラフである。
【図６】トナーの挙動を示す概略図である。
【図７】図２に示されているクリーニング部の概略構成の他の具体例を示す拡大断面図である。
【図８】図２に示されているトナー供給装置の一変形例の構成を示す側断面図である。
【発明を実施するための形態】
【００２４】
以下、本発明の実施形態について、図面を参照しつつ説明する。
【００２５】
＜レーザープリンタの構成＞
図１を参照すると、レーザープリンタ１は、用紙搬送機構２と、感光体ドラム３と、帯電器４と、スキャナーユニット５と、トナー供給装置６と、を備えている。
【００２６】
レーザープリンタ１内に備えられた、図示しない給紙トレイには、シート状の用紙Ｐが積み重ねられた状態で収容されている。用紙搬送機構２は、用紙Ｐを所定の用紙搬送経路ＰＰに沿って搬送するように構成されている。
【００２７】
本発明の供給対象としての感光体ドラム３の周面には、静電潜像担持面ＬＳが形成されている。静電潜像担持面ＬＳは、主走査方向（図中ｚ軸方向）と平行な円筒面として形成されている。この静電潜像担持面ＬＳは、電位分布による静電潜像が形成されるとともに、当該静電潜像に対応した位置にて本発明の現像剤としてのトナーＴ（図２参照）を担持するように構成されている。
【００２８】
感光体ドラム３は、前記主走査方向と平行な中心軸Ｃを中心として、図中矢印で示されている方向に回転駆動されるようになっている。すなわち、静電潜像担持面ＬＳが、前記主走査方向と直交する副走査方向に沿って移動するように、感光体ドラム３が構成されている。
【００２９】
帯電器４は、静電潜像担持面ＬＳと対向するように配置されている。この帯電器４は、コロトロン型あるいはスコロトロン型の帯電器であって、静電潜像担持面ＬＳを一様に正帯電させるように構成されている。
【００３０】
スキャナーユニット５は、画像データに基づいて変調されたレーザービームＬＢを生成するように構成されている。すなわち、スキャナーユニット５は、画素の有無によって発光のＯＮ／ＯＦＦが制御された、所定の波長帯域のレーザービームＬＢを生成するように構成されている。
【００３１】
また、スキャナーユニット５は、生成されたレーザービームＬＢを、静電潜像担持面ＬＳにおけるスキャン位置ＳＰにて結像させるように構成されている。ここで、スキャン位置ＳＰは、帯電器４と対向する位置よりも、感光体ドラム３の回転方向（図１における矢印で示されている方向）における下流側の位置に設けられている。
【００３２】
さらに、スキャナーユニット５は、静電潜像担持面ＬＳ上にてレーザービームＬＢが結像される位置を、前記主走査方向に沿って等速度にて移動させる（走査する）ことで、静電潜像担持面ＬＳ上に静電潜像を形成するように構成されている。
【００３３】
本発明の現像剤供給装置としてのトナー供給装置６は、静電潜像担持面ＬＳと対向するように、感光体ドラム３の下方に配置されている。トナー供給装置６は、本発明の現像剤供給位置としての現像位置ＤＰにて、トナーＴ（図２参照）を帯電した状態で感光体ドラム３（静電潜像担持面ＬＳ）に供給するように構成されている。ここで、現像位置ＤＰとは、トナー供給装置６が静電潜像担持面ＬＳと最近接しつつ対向する位置である。このトナー供給装置６の詳細な構成については後述する。
【００３４】
次に、レーザープリンタ１の各部の具体的な構成について、より詳細に説明する。
【００３５】
用紙搬送機構２は、一対のレジストローラ２１と、転写ローラ２２と、を備えている。
【００３６】
レジストローラ２１は、用紙Ｐを所定のタイミングにて感光体ドラム３と転写ローラ２２との間に向けて送り出すように構成されている。
【００３７】
転写ローラ２２は、感光体ドラム３の外周面である静電潜像担持面ＬＳと、転写位置ＴＰにて、用紙Ｐを挟んで対向するように配置されている。また、転写ローラ２２は、図中矢印で示されている方向に回転駆動されるようになっている。
【００３８】
転写ローラ２２は、図示しないバイアス電源回路に接続されている。すなわち、転写ローラ２２と感光体ドラム３との間で、静電潜像担持面ＬＳ上に付着したトナーＴ（図２参照）を用紙Ｐに転写させるための所定の転写バイアス電圧が印加されるようになっている。
【００３９】
＜＜トナー供給装置＞＞
トナー供給装置６の側断面図（前記主走査方向を法線とする面による断面図）である図２を参照すると、トナー供給装置６のケーシングをなすトナーボックス６１は、側断面視にて略Ｕ字状に形成された箱状部材であって、その長手方向が上下方向（図中ｙ軸方向）と平行となるように配置されている。
【００４０】
トナーボックス６１の内部には、粉末状の乾式現像剤としてのトナーＴが収容されている。すなわち、トナーＴは、トナーボックス６１における底部の略半円筒状の部分の内側に形成された空間である、トナー貯留部６１ａ内に貯留されている。なお、本実施形態においては、トナーＴは、正帯電性、非磁性一成分の、黒色トナーである。トナーボックス６１の頂部であって、感光体ドラム３と対向する位置には、開口部６１ｂが形成されている。すなわち、開口部６１ｂは、感光体ドラム３に向けて上方に開口するように設けられている。
【００４１】
本発明の現像剤担持部材としての現像ローラ６２は、円柱面状の周面であるトナー担持面６２ａを有するローラ状の部材であって、感光体ドラム３と対向するように設けられている。すなわち、本発明の現像剤担持面としてのトナー担持面６２ａが現像位置ＤＰにて感光体ドラム３における静電潜像担持面ＬＳと所定間隔のギャップを介して対向するように、現像ローラ６２が配置されている。
【００４２】
現像ローラ６２は、トナーボックス６１における、開口部６１ｂが形成された上端部にて、回動可能に支持されている。本実施形態においては、現像ローラ６２は、前記主走査方向と平行な回転中心軸がトナーボックス６１の内側に位置することで、トナー担持面６２ａのほぼ上半分がトナーボックス６１の外側の露出するように、トナーボックス６１に収容されている。
【００４３】
トナーボックス６１の内部には、側断面視にて上下方向に長手方向を有する略長円状に形成されたトナー搬送経路ＴＴＰに沿って、搬送基板６３が設けられている。搬送基板６３は、トナーボックス６１の内壁面に固定されている。搬送基板６３は、そのトナー搬送経路ＴＴＰに沿った表面であるトナー搬送面ＴＴＳ上にてトナーＴを進行波電界により搬送するように構成されている。本実施形態においては、搬送基板６３は、底部搬送基板６３ａと、垂直搬送基板６３ｂと、回収基板６３ｃと、を備えている。なお、搬送基板６３（底部搬送基板６３ａ、垂直搬送基板６３ｂ、及び回収基板６３ｃ）の内部構成の詳細については後述する。
【００４４】
底部搬送基板６３ａは、トナー貯留部６１ａの底面を構成するように、トナーボックス６１の内側の空間における底部にて、トナーボックス６１の内壁面に固定されている。底部搬送基板６３ａは、側断面視にて半円筒形状に屈曲され上方に開口する凹状の曲板状部材であって、トナー貯留部６１ａ内のトナーＴを垂直搬送基板６３ｂの下端部に向けて円滑に搬送するように、平板状の垂直搬送基板６３ｂの下端部と滑らかに接続されている。
【００４５】
垂直搬送基板６３ｂは、トナーボックス６１の内壁面に固定されている。この垂直搬送基板６３ｂは、底部搬送基板６３ａと接続された下端部からトナーＴを垂直上方に搬送するように立設されている。垂直搬送基板６３ｂの上端部は、現像ローラ６２の中心とほぼ同じ高さに（当該中心よりも若干上方まで）設けられている。この上端部は、現像ローラ６２における円柱面状のトナー担持面６２ａと対向するように設けられている。この垂直搬送基板６３ｂの上端部とトナー担持面６２ａとが最も近接しつつ対向するトナー担持位置ＴＣＰにて、両者の間には、所定間隔のギャップが設けられている。
【００４６】
本実施形態においては、底部搬送基板６３ａ及び垂直搬送基板６３ｂは、側断面視にて反転Ｊ字状（Ｊ字を鏡に映した状態）に継ぎ目なく一体に形成されている。そして、垂直搬送基板６３ｂは、底部搬送基板６３ａから受け渡されたトナーＴを、現像位置ＤＰよりもトナー担持面６２ａの移動方向における上流側のトナー担持位置ＴＣＰに向けて、トナー搬送方向ＴＴＤに搬送するように構成されている（トナー搬送方向ＴＴＤはトナー搬送経路ＴＴＰの接線方向である）。
【００４７】
回収基板６３ｃは、垂直搬送基板６３ｂの上端部と現像ローラ６２を挟んだ反対側にて、現像ローラ６２と対向するように設けられている。すなわち、回収基板６３ｃは、トナーボックス６１の開口部６１ｂよりもトナー搬送方向ＴＴＤにおける下流側に配置されている。本実施形態においては、回収基板６３ｃのトナー搬送方向ＴＴＤにおける終端部は、現像ローラ６２の下端に対応する位置に設けられている。回収基板６３ｃは、現像位置ＤＰにて消費されなかったトナーＴを現像ローラ６２から回収するとともに、この回収されたトナーＴを下方のトナー貯留部６１ａに向けて搬送するように構成されている。具体的には、本実施形態においては、回収基板６３ｃは、平板状に形成されている。そして、回収基板６３ｃは、現像ローラ６２と所定間隔（現像位置ＤＰにおける感光体ドラム３と現像ローラ６２とのギャップの間隔よりも狭い間隔）のギャップを隔てて対向しつつ、トナーＴを垂直下方に搬送するように設けられている。
【００４８】
対向部材６４は、トナー担持面６２ａの移動方向におけるトナー担持位置ＴＣＰと現像位置ＤＰとの間の位置にて、トナー担持面６２ａと対向するように配置されている。この対向部材６４は、トナー担持面６２ａ上に担持されたトナーＴをトナー担持面６２ａとの間の交番電界の作用により帯電させるように構成されている。本実施形態においては、対向部材６４は、前記主走査方向と平行な中心軸を有するローラ状の部材であって、当該中心軸を中心として回転駆動されるようになっている。対向部材６４（のトナー担持面６２ａと対向する表面である対向ローラ表面６４ａ）とトナー担持面６２ａとの間には、所定間隔のギャップが設けられている。
【００４９】
また、トナー供給装置６には、クリーニング部６５が備えられている。このクリーニング部６５は、対向部材６４の円筒面状の周面である対向ローラ表面６４ａに付着したトナーＴを当該対向ローラ表面６４ａから除去することで、当該対向ローラ表面６４ａをクリーニングするように構成されている。
【００５０】
図３は、図２に示されているクリーニング部６５の概略構成の一具体例を示す拡大断面図である。図３を参照すると、クリーニング部６５は、クリーニングケース６５ａと、クリーニングブレード６５ｂと、を備えている。
【００５１】
クリーニングケース６５ａは、絶縁性の合成樹脂製の箱状部材であって、対向部材６４と対向するように配置されている。クリーニングケース６５ａの、対向部材６４と対向する位置には、開口部が設けられている。この開口部は、対向ローラ表面６４ａの一部をクリーニングケース６５ａ内に収容するように、対向部材６４の主走査方向（用紙幅方向）に沿った幅の全体にわたって設けられている。すなわち、クリーニングケース６５ａは、対向部材６４の一部を主走査方向（用紙幅方向）における全体にわたって収容するようになっている。
【００５２】
本発明の剥離部材としてのクリーニングブレード６５ｂは、クリーニングケース６５ａ内に収容されている。このクリーニングブレード６５ｂは、対向ローラ表面６４ａの、クリーニングケース６５ａ内に収容された部分と当接（摺動）することで、当該部分からトナーＴを除去（剥離）するように設けられている。具体的には、クリーニングブレード６５ｂの基端部は、クリーニングケース６５ａに支持されている。そして、クリーニングブレード６５ｂは、先端部が、上述の基端部から、画像形成動作の終了後のクリーニング動作時における対向部材６４の回転駆動による対向ローラ表面６４ａの移動方向とは反対の方向に突出することで、当該対向ローラ表面６４ａといわゆる「カウンター当接」するように配置されている。
【００５３】
再び図２を参照すると、搬送基板６３における底部搬送基板６３ａ及び垂直搬送基板６３ｂは、搬送電源回路６６と電気的に接続されている。回収基板６３ｃは、回収電源回路６７と電気的に接続されている。現像ローラ６２は、現像バイアス電源回路６８と電気的に接続されている。
【００５４】
搬送電源回路６６、回収電源回路６７、及び現像バイアス電源回路６８は、トナーＴをトナー搬送経路ＴＴＰに沿ってトナー搬送方向ＴＴＤに循環させる（トナー貯留部６１ａ内のトナーＴを現像ローラ６２に一旦担持させつつ現像位置ＤＰまで供給するとともに、現像位置ＤＰにて消費されなかったトナーＴを現像ローラ６２から回収して下方のトナー貯留部６１ａに還流させる）ために必要な電圧を出力するようになっている。
【００５５】
すなわち、搬送電源回路６６及び回収電源回路６７は、トナー搬送面ＴＴＳ上にてトナーＴをトナー搬送方向ＴＴＤに搬送するための進行波電界を形成するように、後述するような多相交流電圧成分を含む搬送バイアス電圧を出力するようになっている。また、現像バイアス電源回路６８は、トナー担持位置ＴＣＰにてトナーＴをトナー担持面６２ａ上に担持させ、静電潜像担持面ＬＳ上に形成された電位分布による静電潜像に対応してトナーＴを現像位置ＤＰにてトナー担持面６２ａ上から静電潜像担持面ＬＳ上に移行させ、現像位置ＤＰを経てトナー担持面６２ａ上に残留したトナーＴを回収基板６３ｃ側に移行させるために必要な電圧（典型的には直流電圧成分と交流電圧成分とが重畳された現像バイアス電圧）を出力するようになっている。
【００５６】
対向部材６４は、帯電バイアス電源回路６９と電気的に接続されている。帯電バイアス電源回路６９は、現像ローラ６２（トナー担持面６２ａ）と対向部材６４（対向ローラ表面６４ａ）とが対向する位置にて交番電界を発生させることで、トナー担持面６２ａ上に担持されたトナーＴを当該交番電界の作用により帯電させるようになっている。すなわち、帯電バイアス電源回路６９は、上述の現像バイアス電源回路６８による交流電圧成分によって現像ローラ６２と対向部材６４との間に交番電界を形成すべく、直流電圧成分のみを含む帯電バイアス電圧を出力するようになっている。すなわち、実質的に現像ローラ６２と対向部材６４との間に交流電圧が印加されるように、現像バイアス電源回路６８及び帯電バイアス電源回路６９が構成されている。
【００５７】
具体的には、本実施形態においては、搬送電源回路６６は、＋８００Ｖの直流電圧成分と振幅３００Ｖ、周波数３００Ｈｚの多相交流電圧成分とが重畳された搬送バイアス電圧（＋５００〜＋１１００Ｖ）を出力するようになっている。回収電源回路６７は、＋１００Ｖの直流電圧成分と振幅３００Ｖ、周波数３００Ｈｚの多相交流電圧成分とが重畳された回収バイアス電圧（−２００〜＋４００Ｖ）を出力するようになっている。現像バイアス電源回路６８は、＋５００Ｖの直流電圧成分と振幅１０００Ｖ、周波数１ｋＨｚの多相交流電圧成分とが重畳された搬送バイアス電圧（−５００〜１５００Ｖ）を出力するようになっている。帯電バイアス電源回路６９は、＋６００Ｖの直流電圧成分のみを含む帯電バイアス電圧を出力するようになっている。
【００５８】
＜＜＜搬送基板の内部構成＞＞＞
図４を参照すると、搬送基板６３は、薄板状の部材であって、フレキシブルプリント配線基板と同様の構成を有している。具体的には、搬送基板６３は、搬送電極６３１と、搬送電極支持フィルム６３２と、搬送電極コーティング層６３３と、搬送電極オーバーコーティング層６３４と、から構成されている。
【００５９】
搬送電極６３１（なお、底部搬送基板６３ａにおける搬送電極６３１を底部搬送電極６３１ａ、垂直搬送基板６３ｂにおける搬送電極６３１を垂直搬送電極６３１ｂ、回収基板６３ｃにおける搬送電極６３１を回収電極６３１ｃと称する。）は、前記主走査方向と平行な長手方向を有する線状の配線パターンであって、例えば、銅箔によって形成されている。複数の搬送電極６３１は、トナー搬送経路ＴＴＰに沿って配列されていて、互いに平行に配置されている。
【００６０】
トナー搬送経路ＴＴＰに沿って多数配列された各搬送電極６３１は、３本置きに同一の電源回路に接続されている。すなわち、電源回路ＶＡに接続された搬送電極６３１，電源回路ＶＢに接続された搬送電極６３１，電源回路ＶＣに接続された搬送電極６３１，電源回路ＶＤに接続された搬送電極６３１，電源回路ＶＡに接続された搬送電極６３１，電源回路ＶＢに接続された搬送電極６３１，電源回路ＶＣに接続された搬送電極６３１・・・が、トナー搬送経路ＴＴＰに沿って順に配列されている（なお、これらの電源回路ＶＡないしＶＤは、図２における搬送電源回路６６等の構成要素である。）。
【００６１】
ここで、図５は、図４に示されている各電源回路ＶＡないしＶＤの出力波形の一例を示すグラフである。本実施形態においては、図５に示されているように、各電源回路ＶＡないしＶＤは、ほぼ同一波形の交流電圧である駆動電圧を出力するように構成されている。また、各電源回路ＶＡないしＶＤが発生する電圧の波形における位相が、９０°ずつ異なるように、各電源回路ＶＡないしＶＤが構成されている。すなわち、電源回路ＶＡから電源回路ＶＤに向かう順に、電圧の位相が９０°ずつ遅れるようになっている。このように、搬送基板６３は、各搬送電極６３１に対して上述のような駆動電圧（搬送バイアス電圧あるいは回収バイアス電圧）が印加されて、トナー搬送面ＴＴＳに沿った進行波状の電界が発生することで、正帯電したトナーＴをトナー搬送方向ＴＴＤに搬送するように構成されている。
【００６２】
複数の搬送電極６３１は、搬送電極支持フィルム６３２の表面上に形成されている。搬送電極支持フィルム６３２は、可撓性のフィルムであって、ポリイミド樹脂等の絶縁性の合成樹脂から構成されている。搬送電極コーティング層６３３は、絶縁性の合成樹脂から構成されている。この搬送電極コーティング層６３３は、搬送電極支持フィルム６３２における搬送電極６３１が設けられている表面、及び搬送電極６３１を覆うように設けられている搬送電極コーティング層６３３の上には、搬送電極オーバーコーティング層６３４が設けられている。すなわち、上述の搬送電極コーティング層６３３は、搬送電極オーバーコーティング層６３４と搬送電極６３１との間に形成されている。搬送電極オーバーコーティング層６３４の表面（すなわちトナー搬送面ＴＴＳ）は、トナーＴがスムーズに搬送され得るように、凹凸の極めて少ない平滑な面として形成されている。
【００６３】
＜レーザープリンタの動作説明＞
次に、上述のように構成されたレーザープリンタ１による動作の概要を、実施形態の構成による作用・効果とともに、図面を適宜参照しつつ説明する。
【００６４】
＜＜給紙動作＞＞
まず図１を参照すると、図示しない前記給紙トレイ上に積載された用紙Ｐの先端が、レジストローラ２１まで送られる。このレジストローラ２１にて、用紙Ｐの斜行が補正されるとともに、搬送タイミングが調整される。その後、用紙Ｐは、転写位置ＴＰまで給送される。
【００６５】
＜＜潜像形成面上へのトナー像の担持＞＞
上述のように用紙Ｐが転写位置ＴＰに向けて搬送されている間に、感光体ドラム３の周面である静電潜像担持面ＬＳ上に、以下のようにしてトナーＴによる像が担持される。
【００６６】
＜＜＜静電潜像の形成＞＞＞
感光体ドラム３の静電潜像担持面ＬＳは、まず、帯電器４によって、正極性に一様に帯電される。帯電器４によって帯電された静電潜像担持面ＬＳは、感光体ドラム３の図中矢印で示されている方向の回転により、スキャナーユニット５と対向する（正対する）位置であるスキャン位置ＳＰまで、前記副走査方向に沿って移動する。
【００６７】
このスキャン位置ＳＰにて、画像情報に基づいて変調されたレーザービームＬＢによって静電潜像担持面ＬＳが露光される。すなわち、レーザービームＬＢが、前記主走査方向に沿って走査されつつ、静電潜像担持面ＬＳに照射される。このレーザービームＬＢの変調状態に応じて、静電潜像担持面ＬＳ上の正電荷が消失する部分が生じる。これにより、静電潜像担持面ＬＳ上に、正電荷のパターン（画像状分布）による静電潜像が形成される。静電潜像担持面ＬＳに形成された静電潜像は、感光体ドラム３の図中矢印で示されている方向の回転により、トナー供給装置６と対向する現像位置ＤＰに向かって移動する。
【００６８】
＜＜＜帯電トナーの搬送・供給＞＞＞
図２及び図４を参照すると、トナーボックス６１内に貯留されているトナーＴは、底部搬送基板６３ａにおける搬送電極オーバーコーティング層６３４との接触や摩擦等により帯電する。底部搬送基板６３ａにおける搬送電極オーバーコーティング層６３４と接触あるいは近接している、帯電したトナーＴは、底部搬送電極６３１ａに対する多相交流電圧成分を含む上述の搬送バイアス電圧の印加によって発生する進行波状の電界により、トナー搬送方向ＴＴＤに搬送され、垂直搬送基板６３ｂにスムーズに受け渡される。
【００６９】
垂直搬送基板６３ｂは、その下端部にて底部搬送基板６３ａから受け渡されたトナーＴを、垂直搬送電極６３１ｂに対する上述の搬送バイアス電圧の印加によって発生する進行波状の電界により、垂直上方のトナー搬送方向ＴＴＤに搬送する。ここで、底部搬送基板６３ａから垂直搬送基板６３ｂに受け渡されたトナーＴには、帯電状態が不良なもの（逆極性すなわち負極性に帯電したものや、低帯電あるいは無帯電のもの、等。）が混入している。
【００７０】
もっとも、本実施形態の構成においては、垂直搬送基板６３ｂによってトナー担持位置ＴＣＰに向けて垂直上方に搬送されている際や、垂直搬送基板６３ｂと現像ローラ６２との間に形成された電界によって正帯電のトナーＴがトナー担持位置ＴＣＰにて現像ローラ６２に担持される際に、帯電状態が不良なトナーＴは、重力や上述の電界の作用により、トナー搬送経路ＴＴＰから逸脱し、垂直搬送基板６３ｂから下方に落下する。これにより、帯電状態が良好なトナーＴのみが選択的に、トナー担持位置ＴＣＰまで搬送される。すなわち、垂直搬送基板６３ｂにて、トナーＴにおける、帯電状態が良好なものと不良なものとが、良好に選別される。トナー搬送経路ＴＴＰから逸脱して下方に落下してきたトナーＴは、トナー貯留部６１ａに還流する。
【００７１】
上述のようにして、正帯電のトナーＴが、垂直搬送基板６３ｂによってトナー担持位置ＴＣＰまで搬送される。この間に、トナー搬送面ＴＴＳとの接触により、トナーＴの帯電量が徐々に増加する。すなわち、本実施形態においては、搬送基板６３のトナー搬送方向ＴＴＤにおける上流側の端部である底部搬送基板６３ａ（特にトナー貯留部６１ａに貯留されているトナーＴの「水面」近傍）と、垂直搬送基板６３ｂの下端部からトナー担持位置ＴＣＰに至るまでの領域と、において、上述の搬送バイアス電圧の作用により、トナーＴが帯電する。
【００７２】
垂直搬送基板６３ｂによってトナー担持位置ＴＣＰまで搬送されたトナーＴは、このトナー担持位置ＴＣＰにて、搬送バイアス電圧及び現像バイアス電圧の作用により、トナー担持面６２ａ上に担持される。そして、現像ローラ６２の回転駆動により、トナー担持面６２ａが現像位置ＤＰまで移動することで、トナーＴが現像位置ＤＰに供給される。この現像位置ＤＰの近傍にて、静電潜像担持面ＬＳに形成された静電潜像が、現像バイアス電圧の作用により、トナーＴによって現像される。すなわち、静電潜像担持面ＬＳ上であって、静電潜像における正電荷が消失した部分に、トナーＴがトナー担持面６２ａから移行し付着する。これにより、トナーＴによる画像（以下、「トナー像」と称する。）が、静電潜像担持面ＬＳ上に担持される。
【００７３】
現像位置ＤＰを通過した（現像位置ＤＰにて消費されなかった）トナー担持面６２ａ上のトナーＴは、上述の現像バイアス電圧及び回収バイアス電圧の作用で、回収基板６３ｃ側に移行する。すなわち、かかるトナーは、回収基板６３ｃによってトナー担持面６２ａから回収される。
【００７４】
ところで、本発明の発明者は、従来のこの種の装置において、トナー担持面６２ａから静電潜像担持面ＬＳへのトナーＴの移行効率（現像効率すなわちトナーＴの供給効率）が、あまり良好でないことを見出した。これは、トナー担持面６２ａ上に対するトナーＴの付着力が強すぎることが原因であると考えられる。
【００７５】
図６（Ａ）に示されているように、通常の非磁性一成分現像装置（現像ローラ６２に対して帯電したトナーＴをスポンジローラやブレード等によって担持させる方式の装置）においては、トナーＴは現像ローラ６２とスポンジローラやブレードとの間で摩擦帯電させられるため、トナーＴにおける帯電位置（図中グレーの塗りつぶし部分参照）は均一に散らばっているものと想定される。一方、図６（Ｂ）に示されているように、従来のこの種の装置においては、以下の理由により、トナーＴにおける帯電位置が局所的に集中している（トナーＴにおける特定の部分が集中的に帯電している）ものと想定される。したがって、図６（Ｂ）に示されている状態においては、図６（Ａ）に示されている状態に比べ、静電気力によるトナーＴの付着力が強力になっているものと考えられる（図中下向き矢印参照）。
【００７６】
図６（Ｃ）に示されているように、搬送基板６３による電界搬送中に、トナーＴは、ループ状の電気力線に沿ってホッピングしながら進行する（図中破線参照）。このとき、トナーＴは、（最も）帯電した特定の位置を先頭として飛翔する。このため、かかる特定の位置が集中的にトナー搬送面ＴＴＳと衝突し、摩擦帯電する。よって、当該位置が、搬送基板６３による電界搬送中に集中的にチャージアップしていく。
【００７７】
これに対し、本実施形態の構成においては、図６（Ｂ）に示されているような帯電状態となってトナー担持位置ＴＣＰの近傍にてトナー担持面６２ａ上に一旦担持されたトナーＴは、現像ローラ６２と対向部材６４とが対向する位置にて、図６（Ｄ）に示されているように、交番電界の作用により帯電させられる（なお、本例においては、対向部材６４は、画像形成動作中すなわち上述の帯電作用の間、回転駆動が停止している。）。
【００７８】
かかる交番電界の作用による帯電によって、トナーＴの帯電状態が、より均一化される。すなわち、図６（Ｄ）に示されているような帯電によって、現像ローラ６２と対向部材６４とが対向する位置を経たトナーＴは、図６（Ａ）に示されているような、帯電位置が均一に散らばった状態に近づく。これにより、トナー担持面６２ａ上におけるトナーＴの付着力が、従来（図６（Ｂ）参照）よりも緩和される。したがって、本実施形態の構成によれば、現像位置ＤＰにおける現像効率が向上する。また、回収基板６３ｃによる回収効率も向上する。
【００７９】
回収基板６３ｃ側に良好に移行したトナーＴは、上述の回収バイアス電圧の作用で、垂直下方に搬送される。回収基板６３ｃの下端部にて、トナーＴには、重力と同方向の慣性が作用する。このため、回収基板６３ｃの下端部よりも下方においては、トナーＴは、重力と、この重力と同方向の慣性の作用で、トナー貯留部６１ａに落下する。よって、回収基板６３ｃがトナー貯留部６１ａに達するまで設けられていなくても、トナーＴがトナー貯留部６１ａに良好に還流する。
【００８０】
なお、対向部材６４による、上述のようなトナーＴの帯電作用の際に対向ローラ表面６４ａに付着したトナーＴは、クリーニング部６５によって、当該対向ローラ表面６４ａから除去される。具体的には、画像形成動作の終了後のクリーニング動作時に、対向部材６４が回転駆動される。すると、対向ローラ表面６４ａとクリーニングブレード６５ｂとが摺動する。これにより、対向ローラ表面６４ａ上に付着していたトナーＴは、対向ローラ表面６４ａから剥離され、クリーニングケース６５ａ内に収容される。
【００８１】
＜＜潜像形成面から用紙へのトナー像の転写＞＞
図１を参照すると、上述のようにして感光体ドラム３の静電潜像担持面ＬＳ上に担持されたトナー像は、当該静電潜像担持面ＬＳが図中矢印で示されている方向に回転することにより、転写位置ＴＰに向けて搬送される。そして、この転写位置ＴＰにて、トナー像が、静電潜像担持面ＬＳから用紙Ｐ上に転写される。
【００８２】
＜変形例の例示列挙＞
なお、上述の実施形態は、出願人が取り敢えず本願の出願時点において最良であると考えた本発明の代表的な実施形態を、単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【００８３】
以下、代表的な変形例について、幾つか例示する。以下の変形例の説明において、上述の実施形態にて説明されているものと同様の構成及び機能を有する部材に対しては、上述の実施形態と同様の符号が用いられ得るものとする。そして、かかる部材の説明については、技術的に矛盾しない範囲内において、上述の実施形態における説明が援用され得るものとする。
【００８４】
もっとも、言うまでもなく、変形例とて、以下に列挙されたものに限定されるものではない。また、複数の変形例が、技術的に矛盾しない範囲内において、適宜、複合的に適用され得る。
【００８５】
本発明（特に、本発明の課題を解決するための手段を構成する各構成要素における、作用的・機能的に表現されているもの）は、上述の実施形態及び下記変形例の記載に基づいて限定解釈されてはならない。このような限定解釈は、（特に先願主義の下で出願を急ぐ）出願人の利益を不当に害する反面、模倣者を不当に利するものであって、発明の保護及び利用を目的とする特許法の目的に反し、許されない。
【００８６】
（１）本発明の適用対象は、単色のレーザープリンタに限定されない。例えば、本発明は、カラーのレーザープリンタや、単色及びカラーの複写機等の、いわゆる電子写真方式の画像形成装置に対して、好適に適用され得る。このとき、感光体の形状は、上述の実施形態のようなドラム状でなくてもよい。例えば、平板状や無端ベルト状等であってもよい。露光光源としては、レーザースキャナ以外のもの（ＬＥＤ、ＥＬ（エレクトロルミネッセンス）素子、蛍光体、等）が好適に用いられ得る。この場合、「主走査方向」は、発光素子（ＬＥＤ等）の配列方向と平行な方向となる。あるいは、本発明は、上述の電子写真方式以外の方式（例えば、感光体を用いないトナージェット方式、イオンフロー方式、マルチスタイラス電極方式、等）の画像形成装置に対しても、好適に適用され得る。
【００８７】
（２）図５を参照すると、各電源回路ＶＡ〜ＶＤが発生する電圧の波形は、矩形波状以外にも、正弦波状や三角波状等の任意のものが用いられ得る。また、上述の実施形態においては、４つの電源回路ＶＡ〜ＶＤが設けられるとともに、各電源回路ＶＡ〜ＶＤが発生する電圧の位相が９０°ずつ異なっていた。もっとも、本発明はこれに限定されず、例えば、３つの電源回路が備えられるとともに、各電源回路が発生する電圧の位相が１２０°ずつ異なるようになっていてもよい。
【００８８】
（３）上述の各種のバイアス電圧は、適宜変更され得る。具体的には、例えば、現像バイアス電圧（現像ローラ６２への印加電圧）は、直流電圧成分（接地を含む）のみであってもよい（これに対応して他のバイアス電圧も適宜変更される）。
【００８９】
（４）感光体ドラム３と現像ローラ６２とは、接触していてもよい。
【００９０】
（５）搬送基板６３の構成や配置は、上述の実施形態のものに限定されない。例えば、搬送基板６３と現像ローラ６２とは、接触していてもよい。
【００９１】
搬送電極オーバーコーティング層６３４は、省略され得る。あるいは、搬送電極６３１が搬送電極支持フィルム６３２内に埋め込まれることで、搬送電極コーティング層６３３及び搬送電極オーバーコーティング層６３４の双方が省略され得る。
【００９２】
底部搬送基板６３ａの中央部は、平坦であってもよい。すなわち、底部搬送基板６３ａにおける曲面状の部分は、垂直搬送基板６３ｂの下端部との接続部のみであってもよい。
【００９３】
底部搬送基板６３ａは、垂直搬送基板６３ｂと別体に構成されていてもよい。この場合、底部搬送基板６３ａと垂直搬送基板６３ｂとは、それぞれ別々の電源と接続されていてもよい。
【００９４】
垂直搬送基板６３ｂは、実質的に上下方向に沿って立設していればよく、多少傾いていてもよい。回収基板６３ｃも、多少傾いていてもよい。回収基板６３ｃの下端部は、トナー貯留部６１ａに至るまで（すなわち底部搬送基板６３ａと接続するように）設けられていてもよい。
【００９５】
本発明は、上述の実施形態のような、底部搬送基板６３ａ及び垂直搬送基板６３ｂによるトナー担持位置ＴＣＰまでの搬送経路の全体によってトナーＴを帯電させる構成に限定されない。すなわち、例えば、垂直搬送基板６３ｂにおける搬送電極オーバーコーティング層６３４の材質を適宜選択することで、垂直搬送基板６３ｂによる搬送中のトナーＴのチャージアップが可及的に抑制される場合があり得る。この場合、トナーＴの帯電は、主としてトナー搬送経路ＴＴＰにおける上流側の端部（すなわち底部搬送基板６３ａ）にて行われることとなる。かかる場合であっても、現像ローラ６２と対向部材６４とが対向する位置にてトナーＴが交番電界の作用により帯電させられることで、現像位置ＤＰにおける無帯電あるいは低帯電のトナーＴの割合が可及的に減少され得る。
【００９６】
（６）クリーニング部６５の構成は、上述の実施形態にて開示されたものに限定されない。例えば、クリーニングブレード６５ｂに代えて、ブラシローラ等が用いられ得る。
【００９７】
図７は、図２に示されているクリーニング部６５の概略構成の他の具体例を示す拡大断面図である。図７に示されているように、本例におけるクリーニング部６５は、クリーニング用基板６５ｃを備えている。
【００９８】
クリーニング用基板６５ｃは、対向ローラ表面６４ａの、クリーニングケース６５ａ内に収容された部分と対向するように、クリーニングケース６５ａ内に設けられている。このクリーニング用基板６５ｃは、搬送基板６３と同様の構成を備えている。すなわち、クリーニング用基板６５ｃは、主走査方向と交差するクリーニング経路ＣＰに沿って配列された複数のクリーニング電極６５ｃ１を備えている。
【００９９】
そして、クリーニング用基板６５ｃは、複数のクリーニング電極６５ｃ１へのクリーニングバイアス電源回路６９１からの多相交流電圧成分を含むクリーニング用バイアス電圧の印加により、トナーＴを、対向部材６４と所定のギャップを隔てて最近接しつつ対向するクリーニング位置ＣＰＯの近傍にて対向ローラ表面６４ａから剥離しつつ、当該クリーニング位置ＣＰＯからクリーニングケース６５ａの底部に向けて、クリーニング経路ＣＰに沿って搬送するようになっている。
【０１００】
この場合、帯電バイアス電源回路６９は、画像形成動作停止中（搬送電源回路６６の出力停止中）であるクリーニング動作時において、５００Ｖの直流電圧成分と振幅１３００Ｖ、周波数２ｋＨｚの多相交流電圧成分とが重畳されたバイアス電圧（−８００〜１８００Ｖ）を出力するようになっている。さらに、クリーニングバイアス電源回路６９１は、クリーニング動作時において、０Ｖの直流電圧成分と振幅３００Ｖ、周波数３００Ｈｚの多相交流電圧成分とが重畳されたクリーニング用バイアス電圧（−３００〜３００Ｖ）を出力するようになっている。
【０１０１】
（７）対向部材６４の構成も、上述の実施形態にて開示されたものに限定されない。図８は、図２に示されているトナー供給装置６の一変形例の構成を示す側断面図である。図８に示されているように、対向部材６４は、トナー担持面６２ａに倣って側断面視にて円弧状に曲げられた薄板状あるいは薄膜状の部材であってもよい。かかる構成においては、現像ローラ６２と対向部材６４との間でトナーＴに交番電界が作用する領域の、トナー搬送経路ＴＴＰに沿った長さが大きくなる。これにより、トナーＴの帯電状態が、よりいっそう均一化される。
【０１０２】
この場合、図８に示されているように、対向部材６４は、搬送基板６３と一体化され得る。具体的には、対向部材６４は、搬送基板６３における搬送電極６３１（図４参照）と同様に形成され得る。あるいは、対向部材６４と搬送基板６３とを別体に構成することで、現像ローラ６２と対向部材６４との間のギャップの調整が簡易に行われ得る。
【０１０３】
（８）また、感光ドラム３と対向部材６４との間の距離は、現像ローラ６２と対向部材６４との間の距離よりも大きく、かつ、感光ドラム３と対向部材６４との間の距離は、感光ドラム３と現像ローラ６２との間の距離より大きくすることが望ましい。このように構成することで、対向部材６４から感光ドラム３にトナーTが直接ジャンピングすることを防止することができる。
【０１０４】
（９）その他、特段に言及されていない変形例についても、本発明の本質的部分を変更しない範囲内において、本発明の技術的範囲に含まれることは当然である。
【０１０５】
また、本発明の課題を解決するための手段を構成する各要素における、作用・機能的に表現されている要素は、上述の実施形態や変形例にて開示されている具体的構造の他、当該作用・機能を実現可能ないかなる構造をも含む。さらに、本明細書にて引用した各公報の内容（明細書及び図面を含む）は、本明細書の一部を構成するものとして援用され得る。
【符号の説明】
【０１０６】
１…レーザープリンタ                    ３…感光体ドラム（供給対象）
６…トナー供給装置（現像剤供給装置）    ６１…トナーボックス
６２…現像ローラ（現像剤担持部材）      ６２ａ…トナー担持面（現像剤担持面）
６３…搬送基板                          ６３ａ…底部搬送基板
６３ｂ…垂直搬送基板                    ６３１…搬送電極                      
６４…対向部材                          ６４ａ…対向ローラ表面            
６５…クリーニング部                    ６６…搬送電源回路
６７…回収電源回路                      ６８…現像バイアス電源回路
６９…帯電バイアス電源回路              ＤＰ…現像位置（現像剤供給位置）
ＬＳ…静電潜像担持面                    Ｔ…トナー
ＴＣＰ…トナー担持位置                  ＴＴＤ…トナー搬送方向
ＴＴＰ…トナー搬送経路                  ＴＴＳ…トナー搬送面
【先行技術文献】
【特許文献】
【０１０７】
【特許文献１】特開平３−１２６７８号公報
【特許文献２】特開２００８−７０８０３号公報
【特許文献３】特開２００４−２７９８８０号公報
【図１】
0005471843.tif 000002
【図２】
0005471843.tif 000003
【図３】
0005471843.tif 000004
【図４】
0005471843.tif 000005
【図５】
0005471843.tif 000006
【図６】
0005471843.tif 000007
【図７】
0005471843.tif 000008
【図８】
0005471843.tif 000009